(57)【要約】      （修正有）【課題】被検者の非侵襲性の画像化のためにランドマーク設定するためのシステムおよび方法を提供する。【解決手段】画像化システム１０は、被検者の所望の関心領域の画像を得るように適合されるイメージャ、および、被検者の所望の関心領域上に位置設定されるコイルを含む。コイルは、コイル上の複数の場所に配設される複数のマーキングを含む。画像化システムは、複数のマーキングのうちのどれが被検者の所望のスキャン面に対応するかを指示するユーザからの入力を受信するように適合されるユーザインターフェースを有する位置指示デバイスをさらに含む。【選択図】図１
2014128667.tif 000002
【特許請求の範囲】
【請求項１】
画像化システムにおいてランドマーク設定するための方法であって、
受信コイルアレイにおいて非飽和信号を誘導するステップであり、前記受信コイルアレイが被検者の所望の関心領域の上方に配置されるステップ、
前記受信コイルアレイ内の１つまたは複数の組の対応するコイル間の位相差を決定するステップ、および、
前記受信コイルアレイ内の前記１つまたは複数の組の対応するコイル間の前記決定された位相差に基づいて、前記画像化システムのガントリに対する前記受信コイルアレイの場所を決定するステップを含む方法。
【請求項２】
前記受信コイルアレイの前記場所に基づいて、前記受信コイルアレイの前記場所と、前記画像化システムの磁石の均質の位置との間の距離を決定するステップを含む、請求項１記載の方法。
【請求項３】
前記決定された距離にわたって前記ガントリ内部に前記被検者を移動させて、前記受信コイルアレイを前記画像化システムの前記磁石の前記均質の位置と位置合わせするステップを含む、請求項２記載の方法。
【請求項４】
前記画像化システムが磁気共鳴画像化システムを備える、請求項１記載の方法。
【請求項５】
被検者の所望の関心領域の画像を得るように構成されるイメージャ、
前記被検者の前記所望の関心領域上に位置設定されるコイルであり、前記コイル上の複数の場所に配設される複数のマーキングを備えるコイル、および、
前記複数のマーキングのうちのどれが前記被検者の所望のスキャン面に対応するかを指示するユーザからの入力を受信するように構成されるユーザインターフェースを備える位置指示デバイス
を備える画像化システム。
【請求項６】
前記ユーザインターフェースが、前記イメージャのガントリ上に置かれるキーパッドを備え、前記キーパッドが、前記コイル上に配設される前記複数のマーキングに対応する複数のマーキングを備える、請求項５記載のシステム。
【請求項７】
前記複数のマーキングが、数字のマーキング、英字のマーキング、絵で表したマーキング、模様付きのマーキング、またはそれらの組み合わせを含む、請求項５記載のシステム。
【請求項８】
前記イメージャが磁気共鳴画像化システムを備える、請求項５記載のシステム。
【請求項９】
画像化システムにおいてランドマーク設定するための方法であって、
検出デバイスによってオペレータからの合図を検出するステップであり、前記合図が、被検者の関心領域に対応する所望のスキャン面を指し示すステップ、および、
前記検出された合図に基づいて、前記画像化システムのガントリの場所に対する前記被検者の前記関心領域の場所を決定するステップを含む方法。
【請求項１０】
前記被検者の前記関心領域の前記場所と、前記画像化システムの磁石の均質の位置との間の距離を決定するステップを含む、請求項９記載の方法。
【請求項１１】
前記決定された距離にわたって前記被検者を移動させて、前記被検者の前記関心領域を前記画像化システム内の前記磁石の前記均質の位置と位置合わせするステップを含む、請求項１０記載の方法。
【請求項１２】
前記検出デバイスがデジタルカメラを備える、請求項９記載の方法。
【請求項１３】
前記合図が、手のジェスチャ、言葉の指令、色付きの材料の位置設定、ハンドヘルドデバイスを使用して行われるジェスチャ、またはそれらの組み合わせを含む、請求項９記載の方法。
【請求項１４】
前記検出デバイスによって前記オペレータからの２つ以上の視覚または音声の合図を検出するステップ、および、前記合図を組み合わせて、前記画像化システムの前記ガントリに対する前記被検者の前記関心領域の前記場所を推定するステップを含む、請求項９記載の方法。
【請求項１５】
画像化システムであって、
被検者の所望の関心領域の画像を得るように構成されるイメージャ、
前記被検者の前記所望の関心領域上に位置設定されるコイル、
１次元スキャンシーケンスによって検出可能なコントラスト媒体を備え、所望のスキャン面に対応する場所において前記被検者または前記コイル上に配置される位置指示デバイス、および、
前記１次元スキャンシーケンスを起動して、前記画像化システムのガントリに対する前記位置指示デバイスの前記場所を識別するように構成される制御回路網を備える画像化システム。
【請求項１６】
前記イメージャが磁気共鳴イメージャを備え、前記コントラスト媒体が非プロトンコントラスト媒体を含む、請求項１５記載の画像化システム。
【請求項１７】
前記位置指示デバイスが、使い捨て式の単一使用のデバイスである、請求項１５記載の画像化システム。
【請求項１８】
前記位置指示デバイスが、前記被検者または前記コイルへの前記位置指示デバイスの粘着を可能にするように構成される粘着性のものを備える、請求項１５記載の画像化システム。
【請求項１９】
前記制御回路網が、前記ガントリに対する前記位置指示デバイスの前記場所と、前記イメージャの磁石の均質の位置との間の距離を決定するようにさらに構成される、請求項１５記載の画像化システム。
【請求項２０】
前記位置指示デバイスが、別の画像化動作において再使用するために、前記コイルまたは前記被検者から取り外されるように構成される、請求項１５記載の画像化システム。
【発明の詳細な説明】
【技術分野】
【０００１】
本明細書で開示する主題は、一般には画像化システムに関し、より詳細には、画像化動作中にランドマーク設定するためのシステムおよび方法に関する。
【背景技術】
【０００２】
診断画像化処理手順では、正確な医療診断の一助となるように、患者などの被検者の所望の関心領域（ＲＯＩ）からの画像化データの取得および再構成を可能にする特定のスキャン環境設定を必要とする。例えば磁気共鳴（ＭＲ）画像化は、患者の位置に関係し、高周波（ＲＦ）コイルを位置設定し、特定の画像化プロトコルのために患者のＲＯＩをランドマーク設定するパラメータを指定する複数のスキャン環境設定を含む。特にランドマーク設定は、スキャナ座標系に患者を位置決めして、所望の画像化のために、均質の画像化部分、例えば磁石のアイソセンタに画像化体積を移動させることを可能にする。
【０００３】
場の均質性が最良であることにより特徴付けられる磁石の中心に関心の解剖学的構造を正確に位置設定することは、最適な画像化を考慮するという点で意味のあることである。例えばランドマーク設定に誤りがあることによって、結果として診断の質が低く解剖学的構造の調査範囲が不十分な画像になり、したがって画像が、例えば特定の検査および／または自動的なスキャン面処方アルゴリズムに適さなくなる場合がある。特に所望のＲＯＩの調査範囲が不十分であると、ＭＲコイルの上／下（Ｓ／Ｉ）軸の方向での追加的なデータ取得が必要となり、したがってさらに検査期間が増大し、患者の不快感が増す場合がある。
【０００４】
多くの現在のランドマーク設定処理ではシステムオペレータは、機械的な、光学的な、または他の適した手段によって画像化領域の中心を規定する。例えばシステムオペレータは、検査テーブル上に患者を位置設定し、患者の所望のＲＯＩ上にＭＲコイルを位置設定し、所望のＲＯＩがスキャナの位置合わせ光と一致するように磁石ボア内部にテーブルを位置設定する場合がある。残念ながら現在のランドマーク設定処理は、効率の低減および金銭的コストの増大を招く場合がある種々の欠点と関連している。例えばスキャン面をセットアップするための現在の処理手順は、オペレータにとって面倒であり、したがってイメージャをセットアップするのに必要な時間の量が増大する場合がある。さらに、多くの現在の処理手順では、画像化システムの金銭的コストを増大する場合があるハードウェアを必要とする。したがって、これらの欠点に対処するランドマーク設定システムおよび方法に対するニーズが存在する。
【発明の概要】
【０００５】
一実施形態では、画像化システムにおいてランドマーク設定するための方法は、受信コイルアレイにおいて非飽和信号を誘導するステップであり、受信コイルアレイが被検者の所望の関心領域の上方に配置されるステップを含む。方法は、受信コイルアレイ内の１つまたは複数の組の対応するコイル間の位相差を決定するステップ、および、受信コイルアレイ内の１つまたは複数の組の対応するコイル間の決定された位相差に基づいて、画像化システムのガントリに対する受信コイルアレイの場所を決定するステップをさらに含む。
【０００６】
別の実施形態では、画像化システムは、被検者の所望の関心領域の画像を得るように適合されるイメージャ、および、被検者の所望の関心領域上に位置設定されるコイルを含む。コイルは、コイル上の複数の場所に配設される複数のマーキングを含む。画像化システムは、複数のマーキングのうちのどれが被検者の所望のスキャン面に対応するかを指示するユーザからの入力を受信するように適合されるユーザインターフェースを有する位置指示デバイスをさらに含む。
【０００７】
別の実施形態では、画像化システムにおいてランドマーク設定するための方法は、検出デバイスによってオペレータからの視覚または音声の合図を検出するステップであり、視覚または音声の合図が、被検者の関心領域に対応する所望のスキャン面を指し示すステップを含む。方法は、検出された視覚または音声の合図に基づいて、画像化システムのガントリの場所に対する被検者の関心領域の場所を決定するステップをさらに含む。
【０００８】
別の実施形態では、画像化システムは、被検者の所望の関心領域の画像を得るように適合されるイメージャ、および、被検者の所望の関心領域上に位置設定されるコイルを含む。システムは、１次元スキャンシーケンスによって検出可能なコントラスト媒体を有し、所望のスキャン面に対応する場所において被検者またはコイル上に配置される位置指示デバイスをさらに含む。制御回路網が、１次元スキャンシーケンスを起動して、画像化システムのガントリに対する位置指示デバイスの場所を識別するために設けられる。
【０００９】
本発明のこれらおよび他の特徴、態様、および利点は、図面全体を通して類似の符号が類似の部分を表す付随する図面を参照して以下の詳細な説明を読むことで、より良く理解されよう。
【図面の簡単な説明】
【００１０】
【図１】本開示の態様によるランドマーク設定システムの実施形態を例示する概略図である。
【図２】画像化システムにおいてガントリに対するコイルの場所を決定するための方法の実施形態を例示するフローチャートである。
【図３】画像化動作のために所望のスキャン面に対応するオペレータの入力を受信するための方法の実施形態を例示するフローチャートである。
【図４】画像化動作において所望のスキャン面のジェスチャベースの伝達のための方法の実施形態を例示するフローチャートである。
【図５】画像化動作において所望のスキャン面を決定するためにコントラスト媒体を有する位置指示デバイスを利用するための方法の実施形態を例示するフローチャートである。
【発明を実施するための形態】
【００１１】
下記でより詳細に説明するように、本明細書で提供するのは、被検者の非侵襲性の画像化のためにランドマーク設定するためのシステムおよび方法である。より詳細には、オペレータが、画像化動作のために、スキャン面、またはスキャン面を検索するための開始点を規定することを可能にする種々の技法を下記で提供する。例えば提供する技法のいくつかの実施形態は、ガントリに対する高周波（ＲＦ）受信コイルの場所の決定を可能にし、したがって、スキャナの視野内で受信コイルを中心に置くことを可能にする。さらなる例では他の実施形態において、提供する方法は、コイル、ガントリ、または患者を位置設定するテーブルに対するランドマークの位置の決定を可能にする。従来のシステムと比較すると、これらの技法のある種の実施形態は、画像化システムにおいて患者をセットアップするのに必要な時間の量を低減し、したがって、必要なハードウェアの複雑さを増すことなく画像化動作の効率を増大することが可能である。
【００１２】
本技法のある種の実施形態を自動磁気共鳴画像化（ＭＲＩ）システムの状況において説明するが、様々な他の画像化用途およびシステムにおいて今開示する実施形態を使用することもまた企図される。例えばこれらのシステムのいくつかは、自動化されていないＭＲＩシステム、コンピュータ断層撮影（ＣＴ）画像化システム、陽電子放射断層撮影（ＰＥＴ）画像化システム、光学画像化システム、および、磁気共鳴（ＭＲ）を他のモダリティと組み合わせる混成システムを含む場合がある。実際、図１に示す環境は、本技法の様々な実装形態を実践するのに適した１つの可能な環境を例示するものであり、企図される実施形態を限定することが目的ではない。
【００１３】
次に図面に目を向けると、図１は、患者１２などの被検者のランドマーク設定において使用するための画像化システム１０の実施形態を例示する。考察目的でシステム１０を、ＭＲ画像化動作においての患者の準備を参照して説明するが、提供する実施形態はこの用途に限定されない。例示する実施形態ではシステム１０は、モータ付きのテーブルユニット１６に動作可能に結合される静磁場発生器１４を含む。静磁場発生器１４は、例えばＲＦコイルまたは傾斜磁場コイルを含む磁石１８、および、一実装形態では仰臥位で配設される患者１２を収容するためのボア２０を含む。これに対して他の実施形態では患者１２は、画像化に適した他の体位で配設される場合がある。
【００１４】
その目的のためにテーブルユニット１６は、画像化システム１０の動作中に磁石ボア２０内に患者１２を支持して並進させるクレードル２２を含む。特にある種の実施形態ではテーブルユニット１６は、クレードル２２の動きを、したがって磁石１８内部での患者の位置を管理する位置設定ユニット２４を含む。例えば位置設定ユニット２４は、オペレータの入力、特定の検査要件、および／または指定のスキャニングプロトコルに基づいて患者の位置を管理する。そのことに応じてある種の実施形態では位置設定ユニット２４は、システム１０と通信する、１つもしくは複数のデジタル信号プロセッサ、マイクロコンピュータ、マイクロコントローラ、特定用途向け集積回路（ＡＳＩＣ）、フィールドプログラマブルゲートアレイ（ＦＰＧＡ）、または、１つもしくは複数の汎用プロセッサもしくは特定用途向けプロセッサなどのデバイスを含む。
【００１５】
一実施形態では位置設定ユニット２４は、例えばキーパッド２８を有し、オペレータワークステーション３０に結合される入出力デバイス２６を介して受信されるオペレータの入力に基づいて患者の位置を制御する。例えば入出力デバイス２６は、グラフィカルユーザインターフェース（ＧＵＩ）またはスイッチングサブシステムを有するディスプレイを、オペレータがＧＵＩを介して所望のスキャニングパラメータおよび患者の脊椎などの所望の関心領域（ＲＯＩ）を選択することを可能にするために含む。あるいはある種の実施形態では位置設定ユニット２４は、ストレージリポジトリ３２から受信される環境設定ファイルにおいて指定されるスキャニングパラメータに基づいて患者の位置を制御する。その目的のために、例えばストレージリポジトリ３２は、システム１０に通信可能に結合される、ランダムアクセスメモリ、読み出し専用メモリ、ディスクドライブ、固体メモリデバイス、および／またはフラッシュメモリを含む。
【００１６】
例示する実施形態では位置設定ユニット２４は、スキャニングパラメータを受信すると、例えば制御システム３６内の制御回路網３４と制御を協調させることにより、ボア２０内にクレードル２２を前進させ、ランドマーク動作を遂行する。その目的のためにある種の実装形態ではＲＦコイル３８が、判定中の患者１２の所望のＲＯＩ上に位置設定される。例えば例示する実施形態ではＲＦコイル３８は、患者１２が磁石ボア２０内に並進させられる前に、患者１２のひざ上に位置設定される。次いで例示する患者１２は、足を先の方向設定で磁石ボア２０内に移動させられる。しかしながら患者１２を、判定中の患者１２の所望のＲＯＩに応じて、頭を先または足を先のいずれかの方向設定で位置設定することが可能である。例えば脳検査を、患者１２が頭を先の方向設定の状態で遂行することが可能であり、一方で下胸部および腹部の調査を、患者１２が足を先の方向設定の状態で遂行することが可能である。
【００１７】
典型的なＭＲシステムでは、患者がテーブル上に位置設定されると、１つまたは複数のレーザ位置合わせ光が点灯され、オペレータは、所望のＲＯＩがレーザ位置合わせ光の下に位置設定されるまで磁石ボア内にテーブルを移動させる。オペレータは、ランドマークボタンを押してＭＲシステムの座標系に患者を位置決めし、スキャン位置に患者を前進させ、そのことによって、場の均質性が最良であることにより特徴付けられる磁石の中心に、今ランドマーク設定されたばかりの領域を位置設定する。次いでオペレータは、オペレータコンソール上の「スキャン開始」ボタンを押すことにより患者のスキャンを起動する。このように典型的なＭＲ画像化では、オペレータの介入、経験、および専門技術に著しく依拠する長々しく多段階のランドマーク設定動作を必要とする。
【００１８】
これに対して本明細書で提供する技法の実施形態は、例えば、コストの高いハードウェアを追加する必要なしにランドマーク設定処理におけるオペレータの関与の程度を低減することにより、これらの欠点の１つまたは複数に対処することが可能である。したがって実装形態固有の考慮事項に応じて、システム１０は、ランドマーク設定動作において利用される１つまたは複数の追加的な構成要素を含む場合がある。例えば例示する実施形態では、マーカ４０が、所望のＲＯＩのランドマーク設定を可能にするように、ＲＦコイル３８上に埋め込まれる、もしくは位置設定される、または、患者１２の関心領域もしくはクレードル２２上に直接配置される。例えばマーカ４０を、ＲＦコイル３８上のＳ／Ｉ中心、Ｓ／Ｉ範囲、または任意の他の適した位置に位置設定することが可能である。別の実施形態ではマーカ４０は、オペレータが所望のスキャン面に対応するマーカを識別することが可能であるように、ＲＦコイル３８の長さに沿って位置設定される複数のマーカを表す。例えばそのような一実施形態では、マーカ４０は数字である場合があり、オペレータは、所望のスキャン面に対応する数字を選定し、例えばキーパッド２８にそれらの数字を入力して、制御回路網３４に所望のスキャン面を伝達することが可能である。
【００１９】
さらなる例では、図１の実施形態において図示する別の追加的な随意の構成要素は、所望のスキャン面に関係する視覚および／または音声の合図を検出するための、ボア２０の上の方に装着されるカメラ４２である。カメラ４２は、検出される合図の処理および／または記憶のために制御システム３６に通信可能に結合され、合図はランドマーク設定のために利用される。例えば一実施形態ではオペレータは、音声の合図（例えば「ここをスキャンする」）を言い表し、一方で、視覚的に検出可能なジェスチャを行う（例えば、所望のスキャン面に対応する位置で患者を横切る腕の動きを行う）ことにより、所望のスキャン面を指示することが可能である。この実施形態ではカメラ４２は、これらの視覚および音声の合図を検出し、それらを制御システム３６に伝達する。制御回路網３４は、取得した情報を処理して、オペレータにより所望されるスキャン面を、および、所望のスキャン面に基づいてボア２０内部での適切な患者の位置設定を決定する。
【００２０】
一実施形態ではカメラ４２は３Ｄ性能を有し、そのことによってカメラ４２は、視誤差なしにオペレータの手のジェスチャの場所を決定することが可能になる。そのような性能を、変形照明の使用によって、または２つ以上のカメラもしくは視点を使用することによってなど、様々な形で提供することが可能である。さらに別の実施形態ではオペレータに、磁気抵抗センサなどの磁場を検出可能なセンサを包含する、小さな杖のようなハンドヘルドデバイスを提供することが可能である。ＭＲシステムの静磁場はボアからの距離とともに急速に減衰するので、オペレータがハンドヘルドデバイス（例えば杖）を用いて行う「ランドマーク設定ジェスチャ」を、磁場の強さに関するハンドヘルドデバイスからの情報と組み合わせ、ＭＲＩボアのアイソセンタからの絶対距離に変えることが可能である。ハンドヘルドデバイスは、より広い範囲のジェスチャを検出かつ解釈することを可能にするための慣性センサをさらに含む場合がある（例えば磁石のボアに向けてハンドヘルドデバイスを素早く杖のように振ること（ｓｗｉｓｈ  ａｎｄ  ｆｌｉｃｋ）が、「ボア内に患者を移動させる」を指示する場合がある）。
【００２１】
次いで制御回路網３４が位置設定ユニット２４と協調して、画像化のために磁石１８内部で患者を位置設定する。例えば位置設定ユニット２４は、ＲＦコイル３８が磁石１８のアイソセンタ４４と位置合わせされるように、クレードル２２の移動を協調させることが可能である。その目的のためにある種の実施形態ではシステム１０は、磁石１８に対するクレードル２２の長手方向の位置を決定するために、テーブルユニット１６および／または磁石１８上に置かれる、位置エンコーダおよび／またはセンサなどの構成要素を含み得る。位置設定ユニット２４は、制御回路網３４および所与の実装形態に存在する任意の位置検出デバイスと協調してアイソセンタ４４（または磁石１８内部の別の所望の位置合わせ点）にクレードル２２を前進させ、かつ、ランドマークをセットして、患者の判定および治療において使用するための診断画像を発生させるために所望のＲＯＩをスキャン位置に前進させることを可能にする。
【００２２】
図１に例示する実施形態は関心の解剖学的構造の上方に位置設定される外部コイル（すなわちコイル３８）を含むが、他の実施形態では、磁石のボア内部に置かれるスキャナボディコイルを、患者がスキャナボディコイルの内側に置かれるときにランドマーク設定目的で代わりに利用することが可能であることに留意されたい。実際、下記でより詳細に説明するように、本明細書で提供するある種の方法を、ランドマーク設定に関して外部コイルの代わりにスキャナボディコイルを利用して実装することが可能である。
【００２３】
図２は、図１に示す画像化システム１０においてランドマーク設定を遂行するために利用することが可能である方法４６の実施形態を例示する。この方法４６は、画像化ガントリに対するＲＦコイル（例えばコイル３８）の場所を決定することによりランドマーク設定を実現する。そのことに応じて方法４６は、被検者の所望のＲＯＩの上方へのＲＦコイルまたはコイルアレイの配置から始まる（ブロック４８）。例えば図１での図示において、ＲＦコイル３８は患者のひざの上方に配置される。次いでオペレータは、被検者の所望のＲＯＩのスキャンを起動し、一方で被検者は画像化システム内部の定位置に置かれている（ブロック５０）。例えば定位置は、患者１２およびテーブルユニット１６が磁石１８のボア２０の外側に位置設定されている、図１に例示する位置であり得る。オペレータは、例えば入出力デバイス２６に関連するユーザインターフェース上でスキャンを行うことを指示することにより、スキャン処理手順を起動することが可能である。この起動によってシステム１０は、待機モードとなり画像化動作の準備ができた状態となるように活動化する。
【００２４】
オペレータが動作を起動すると、制御システム３６は、ランドマーク設定を遂行するようにシステムを導くための信号を発生させる。より詳細には例示する実施形態では、制御回路網３４が画像化システムから非飽和ＲＦ信号を送信する（ブロック５２）。すなわち、コイルが遮断されていない場合でも受信コイルのプリアンプを飽和させないように十分に弱い、弱い信号がＭＲシステムから送信される。そのことに応じて、信号が受信器コイルにおいて誘導される（ブロック５４）。
【００２５】
方法４６は、患者が定位置から移動させられる際の受信器コイルアレイの両端での対応するコイル間の位相差の測定を続行する（ブロック５６）。患者の移動の間のこの位相差を監視することにより、被検者を画像化のために所望の位置に移動させることが可能である（ブロック５８）。例えば次に、受信器コイルアレイが励磁コイルに対して中心に置かれるときに、受信器コイルアレイの両端での対応するコイル間の位相差がゼロになることを認識されたい。この中心に置く位置が所望の位置であるならば、位置設定ユニット２４は、測定される位相差がゼロになるまでテーブルユニット１６を移動させることが可能である。中心に置かれる位置が所望の位置でないならば、制御回路網３４は、この特性を利用して、所望の位置を実現することが可能であるようにコイルの場所に対する基準点を決定することが可能である。これに対していずれの例でも、このタイプの多重スキャンを、テーブルユニット１６が適位置に移動させられる際に行うことが可能であり、受信される信号の振幅を比較することにより、制御回路網３４は必要とされる並進距離を決定することが可能である。
【００２６】
いくつかの実施形態では、受信器コイルを探るための十分に低い強度の信号を送信することが可能でない場合があることに留意されたい。これらの実装形態では、離調された（すなわち遮断された）コイルからのコイル応答の検出を利用することが可能である。これらの実施形態では方法４６は、受信される信号およびコイル位置の位相関係を決定する目的で較正ステップをさらに含む。
【００２７】
図３は、画像化システム１０においてランドマーク設定を遂行するための別の方法６０の実施形態を例示する。この方法６０は、患者の所望のＲＯＩの上方に１つまたは複数のマーキングを有する受信器コイルを配置するステップ（ブロック６２）、および、キーパッドを利用して、マーキングのうちのどれが所望のスキャン面に対応するかを指示するステップ（ブロック６４）を含む。次いで患者は、磁石ボアの外側の定位置からボア内部の所望の位置に移動させられる（ブロック６６）。
【００２８】
一実施形態では複数のマーカ４０が、ＲＦコイル３８上にコイル上の複数の位置で配置される。マーカ４０は、数字のマーキング、英数字のマーキング、絵で表したマーキング、模様付きのマーキング、またはそれらの組み合わせを含み得るが、これらのものに限定されない。例えば一実施形態では、マーカ４０は数字のマーカであり、オペレータは、どの数字のマーカが所望のスキャン面に最も近く対応するかを選択する。選択するとオペレータは、例えば入出力デバイス２６上のキーパッド２８を介して、制御システム３６にそれらのマーカを伝達する。さらにマーカを、コイル３８上に、テーブル１６上に、または画像化システム１０内の別の適した位置に置くことが可能であることに留意されたい。マーカがコイル３８上に置かれるならば、制御システム３６は、例えば上記で説明した方法４６を実装することにより、コイル３８の場所を別々に決定することが可能である。いくつかの実施形態では、マーカがテーブル上に置かれるならば、関心領域の上方に配置される外部コイルは必要ではない場合があり、スキャナボディコイルをランドマーク設定のために代わりに使用することが可能である。
【００２９】
図４は、画像化システム１０においてランドマーク設定を遂行するための別の方法６８の実施形態を例示する。方法６８を、外部コイルまたはスキャナボディコイルのいずれかがランドマーク設定のために使用される状態で実装することが可能であることに留意されたい。この方法６８の実装の間、受信器コイルが被検者の所望のＲＯＩの上方に配置され（ブロック７０）、オペレータは、視覚または音声の合図によって所望のスキャン面を指示する（ブロック７２）。例えばオペレータは、音声の合図（例えば「ここをスキャンする」）を言い表し、一方で、視覚的に検出可能なジェスチャを行う（例えば、所望のスキャン面に対応する位置で患者を横切る腕の動きを行う）ことにより、所望のスキャン面を指示することが可能である。ある種の実施形態ではオペレータは、符号化されたアクセサリ（例えば色付きの手袋）を身に着けること、または、所望のスキャン面の伝達の一助となるハンドヘルドデバイス（上記で考察したような磁気または慣性の検知構成要素の１つまたは両方を組み込むデバイスなど）を使用することが可能である。
【００３０】
方法６８は、カメラなどの検出デバイスによって、オペレータからの視覚および／または音声の合図の検出をさらに必要とする（ブロック７４）。合図が検出されると制御回路網３４は、ガントリに対する患者のＲＯＩの場所を決定し（ブロック７６）、患者のＲＯＩと患者の所望の位置との間の距離を決定する（ブロック７８）。次いで制御回路網３４は、位置設定ユニット２４と通信して、画像化のために所望の位置に、決定された距離だけ患者を移動させる（ブロック８０）。
【００３１】
図５は、画像化システム１０においてランドマーク設定を遂行するための別の方法８２の実施形態を例示する。方法８２を、外部コイルまたはスキャナボディコイルのいずれかがランドマーク設定のために使用される状態で実装することが可能であることに留意されたい。この方法８２の実装の間、受信器コイルが被検者の所望のＲＯＩの上方に配置され（ブロック８４）、コントラスト媒体を有するデバイスが、所望のスキャン面を指示するために患者またはコイル上に配置される（ブロック８６）。次いで、被検者は磁石のボア内に移動させられ（ブロック８８）、コントラスト媒体の位置を検出するために１次元スキャンシーケンスが遂行される（ブロック９０）。前のように、次いで患者を画像化のために所望の位置に移動させることが可能である（ブロック９２）。
【００３２】
すなわちこの実施形態では、患者の上に配置されるデバイスはＭＲＩコントラスト媒体を含み、そのコントラスト媒体を、患者がボア内に移動させられる際に検出し、制御回路網３４により使用して、スキャン面の正しい場所を決定することが可能である。コントラスト媒体は、画像化中に干渉が起こる可能性を低減する、またはなくすために、いくつかの実施形態では非プロトン媒体であり得ることに留意されたい。そのような実施形態では、広帯域電子回路などの追加的な回路網を、検出目的で含むことが可能である。
【００３３】
コントラスト媒体包含デバイスは、初期の配置および画像化中のその配置の維持を容易にするために、いくつかの実施形態では粘着性であり得る。他の実施形態では、クリップまたはスナップなどの種々の適した取り付け機構を用いて、所望の場所で患者またはコイルにデバイスを結合する場合がある。さらにデバイスは、使い捨て式で１回の使用のために構成される場合があり、または再使用可能で、例えば複数の異なる患者による複数回の使用のために構成される場合がある。
【００３４】
記述した本説明では、例を使用して、最良の形態を含めて本発明を開示し、さらには、任意のデバイスまたはシステムを作製かつ使用すること、および任意の組み込んだ方法を遂行することを含めて、本発明を実践することを当業者ならば誰でも可能にする。本発明の特許的な範囲は、特許請求の範囲により定義され、当業者が想到する他の例を含み得る。そのような他の例は、それらの例が、特許請求の範囲の文字通りの文言と異ならない構造要素を有するならば、またはそれらの例が、特許請求の範囲の文字通りの文言と実質的な違いのない等価の構造要素を含むならば、特許請求の範囲の範囲内にあることが意図される。
【符号の説明】
【００３５】
１０  画像化システム
１２  患者
１４  静磁場発生器
１６  テーブルユニット
１８  磁石
２０  ボア
２２  クレードル
２４  位置設定ユニット
２６  入出力デバイス
２８  キーパッド
３０  オペレータワークステーション
３２  ストレージリポジトリ
３４  制御回路網
３６  制御システム
３８  ＲＦコイル
４０  マーカ
４２  カメラ
４４  磁石のアイソセンタ
４８  被検者の所望のＲＯＩの上方に受信器コイルを配置する
５０  画像化システム内の定位置に配設される被検者の所望のＲＯＩのスキャンを起動する
５２  画像化システムから非飽和ＲＦ信号を送信する
５４  受信器コイルにおいて誘導される信号
５６  被検者が定位置から移動させられる際のコイルアレイ内の対応するコイル間の位相差を測定する
５８  被検者を画像化のために所望の位置に移動させる
６２  被検者の所望のＲＯＩの上方にマーキングを有する受信器コイルを配置する
６４  入力デバイス上のキーパッドを利用して、所望のスキャン面に対応するマーキングを指示する
６６  被検者を定位置から画像化位置に移動させる
７０  被検者の所望のＲＯＩの上方に受信器コイルを配置する
７２  視覚または音声の合図によって所望のスキャン面を指示する
７４  検出デバイスによって、オペレータからの視覚または音声の合図を検出する
７６  ガントリに対するＲＯＩの場所を決定する
７８  ＲＯＩと所望の位置との間の距離を決定する
８０  画像化のために所望の位置に、決定された距離だけ被検者を移動させる
８４  被検者の所望のＲＯＩの上方に受信器コイルを配置する
８６  コントラスト媒体を有するデバイスを、所望のスキャン面を指示するために患者またはコイル上に配置する
８８  被検者を画像化システムのボア内に移動させる
９０  コントラスト媒体位置を検出するために１Ｄスキャンシーケンスを遂行する
９２  被検者を画像化のために所望の位置に移動させる
【図１】
2014128667.tif 000003
【図２】
2014128667.tif 000004
【図３】
2014128667.tif 000005
【図４】
2014128667.tif 000006
【図５】
2014128667.tif 000007
【外国語明細書】
2014128667000001.pdf